(57)【要約】      （修正有）【課題】コネクタを並べて収納するスペースを削減することができるコネクタを提供する。【解決手段】左側の雌ハウジング２ａの右側面と右側の雌ハウジング２ｂの左側面とを向かい合わせた同じ向きで、左右方向に並べてコネクタ１ａ，１ｂを梱包すると、コネクタ１ａのレバー３ａは、コネクタ１ｂが備える雌ハウジング２ｂのレバー収容部２４ｂに操作部３２ａの右側端部を収容され、レバー受部２５ｂに操作部３２ａの右側端部を当接させて受けられている。雌ハウジング２ａは、右側面のロック部２３ａを雌ハウジング２ｂの左側面に当接させている。また、操作部３２ａは、レバー受部２５ｂが備える段差部２６ｂよりも後側の雌ハウジング２ｂの左側面に、その右側端部を当接させている。【選択図】図４
2009211993.tif 000002
【特許請求の範囲】
【請求項１】
ハウジングに軸支されて前記ハウジングの一側側から装着部側にかけて回動し、前記装着部の装着される被着体を前記装着部に引き込むレバーを備え、前記ハウジングの他側側に１又は複数を並べて収納されるコネクタであって、
前記ハウジングの他側部を一側側に後退させて構成され、他側側に並んだコネクタが前記ハウジングから一側方に突出させた前記レバーを収容するレバー収容部を備えることを特徴とするコネクタ。
【請求項２】
前記レバー収容部に収容されたレバーを受けて前記装着部側への回動を規制するレバー受部を備えることを特徴とする請求項１に記載のコネクタ。
【請求項３】
前記レバー収容部を構成する前記ハウジングの他側部は、前記ハウジングの他側部が他側側に並んだコネクタの前記ハウジングの右側端部と当接すると、他側側のコネクタの前記ハウジングから一側方に突出した前記レバーの右側端部と当接し、又は、前記レバーの右側部との間に間隙が設けられるまで、前記ハウジングの一側側に後退していることを特徴とする請求項１又は請求項２に記載のコネクタ。
【発明の詳細な説明】
【技術分野】
【０００１】
本発明は、被着体をハウジング側に引き込むレバーを備えたコネクタに関する。
【背景技術】
【０００２】
この種のコネクタとしては、下記の特許文献１に記載のレバー式コネクタが開示されている。このコネクタの備えるレバーは、一対の側板の端部を操作部で連結して略門状に構成されており、両側板を雄ハウジングの一対の側面に軸支されて、雄ハウジングを跨ぐように取り付けられている。側板には、支軸を挟んだ操作部側に第１スリットが、その反対側にカム溝がそれぞれ設けられている。第１スリットの内側には、先端に係止爪を備えた仮係止ロック部が形成されている。また、雄ハウジングの各レバー軸支面には、第１案内スリット及び第２案内スリットが設けられている。第２案内スリットは、仮係止ロック部の係止爪と係合して、レバーの回動をロックする。雌ハウジングの一対の側面の前端には、それぞれカムピンが突設されている。各カムピンは、第１案内スリット及びレバーのカム溝内に収容され、レバーの回動に応じて第１案内スリット及びカム溝内を移動する。
【０００３】
仮係止ロック部の係止爪に第２案内スリットを係合してレバーを仮係止した雄ハウジングに、雌ハウジングが嵌め合わされると、雄ハウジングの第１案内スリット及びレバーのカム溝に雌ハウジングのカムピンが進入する。その後レバーが操作されると、係止爪と第２案内スリットとの係合が解けてカムピンがカム溝の奥方に引き込まれ、第１案内スリット内を移動する。このカムピンの移動に応じて、雌ハウジングが雄ハウジング内に引き込まれ、両ハウジング同士が装着される。
【０００４】
【特許文献１】特開２００６−３４４４７３号公報
【発明の開示】
【発明が解決しようとする課題】
【０００５】
上記特許文献１に記載のレバー式コネクタでは、梱包時等にレバーを仮係止した雄ハウジングを並べると、雄ハウジングから側方に突出したレバーの分だけ、隣りの雄ハウジングとの間隔を設ける必要があり、収納スペースを小さく抑えるためにレバーを短くすると、倍力効果が減少するという問題があった。
【０００６】
本発明は斯かる課題に鑑みてなされたもので、上記課題を解決できるコネクタを提供することを目的とする。
【課題を解決するための手段】
【０００７】
このような目的を達成するために、本発明のコネクタは、ハウジングに軸支されて前記ハウジングの一側側から装着部側にかけて回動し、前記装着部の装着される被着体を前記装着部に引き込むレバーを備え、前記ハウジングの他側側に１又は複数を並べて収納されるコネクタであって、前記ハウジングの他側部を一側側に後退させて構成され、他側側に並んだコネクタが前記ハウジングから一側方に突出させた前記レバーを収容するレバー収容部を備えることを特徴とする。
また、本発明は、前記レバー収容部に収容されたレバーを受けて前記装着部側への回動を規制するレバー受部を備えることを特徴とする。
また、本発明は、前記レバー収容部を構成する前記ハウジングの他側部は、前記ハウジングの他側部が他側側に並んだコネクタの前記ハウジングの右側端部と当接すると、他側側のコネクタの前記ハウジングから一側方に突出した前記レバーの右側端部と当接し、又は、前記レバーの右側部との間に間隙が設けられるまで、前記ハウジングの一側側に後退していることを特徴とする。
【発明の効果】
【０００８】
本発明によれば、コネクタを並べて収納するスペースを削減することができる。
【発明を実施するための最良の形態】
【０００９】
以下、図面を参照して、本発明の第１の実施形態を説明する。
図１は、本実施形態のコネクタ１の上方からの斜視図である。図１に示すように、コネクタ１は、被着体としての雄ハウジング（不図示）に装着される雌ハウジング２と、雄ハウジングを雌ハウジング２に引き込むレバー３とを備えている。雌ハウジング２は、前端から後端にかけて略四角筒状を呈して延びる外観形状を有しており、端子キャビティ２０の開口する前面に、雄ハウジングに装着される装着部２１を備えている。装着部２１には、雌ハウジング２の前面の周縁に沿って延びて略四角環状を呈した装着溝２１０が形成されている。装着溝２１０には、雄ハウジングが備える被着部の周縁部（不図示）が嵌入される。
【００１０】
雌ハウジング２の上面及び下面には、レバー３を軸支する一対の支軸２２が設けられている。また、雌ハウジング２の右面には、レバー３の回動を規制するロック部２３が、右方に向けて突設されている。雌ハウジング２の後端部の左側部には、レバー収容部２４が設けられている。雌ハウジング２の後端部は左側面が右方に、右側面が左方にそれぞれ１つの段差部２６（図２（ｂ）参照）を備えて縮径しており、レバー収容部２４は、縮幅した雌ハウジング２の後端部の左側部から構成されている。レバー収容部２４には、レバー受部２５が設けられている。レバー収容部２４及びレバー受部２５の構成は、後で詳しく説明する。
【００１１】
レバー３は、互いに同じ形状を有して平行に向かい合った一対の側板３１の一端部間に、操作部３２を掛け渡した概略形状を有している。レバー３は、両側板３１で雌ハウジング２を上下方向の外側から挟み込み、雌ハウジング２の上面及び下面に沿って雌ハウジング２の右側を前後方向に回動自在に、支軸２２に軸支されている。雌ハウジング２側を向いた操作部３２の内面には、被ロック部３３が設けられている。被ロック部３３は、操作部３２の内面から内方に向けて膨出しており、雌ハウジング２の装着部２１側のレバー３の回動限でロック部２３に係止される。レバー３の後端面は、雌ハウジング２の後端面よりも前方に位置している。レバー３は、両側板３１の内面に設けられた仮係止突起（不図示）が、雌ハウジング２の上下の両面に設けられた溝状の受部（不図示）に嵌ることで、操作部３２側を雌ハウジング２の右側方に突出させた所定の回動位置で仮係止される。
【００１２】
以下、レバー収容部２４及びレバー受部２５の構成について詳しく説明する。図２は、２つのコネクタ１（１ａ，１ｂ）を同じ向きで左右に並べた状態を示す図であり、（ａ）は正面図，（ｂ）は（ａ）のＡ−Ａ線断面図である。雌ハウジング２の左側端面（左側に並んだコネクタ１の雌ハウジング２との当接面）からのレバー収容部２４の右方への後退距離Ｌは、図２に示すように、２つのコネクタ１（１ａ，１ｂ）を同じ向きで左右に並べた状態で、仮係止されて左側の雌ハウジング２（２ａ）の右方に突出したレバー３（３ａ）の右側端部の被ロック部３３（３３ａ）から、レバー収容部２４（２４ｂ）を構成する右側の雌ハウジング２（２ｂ）の左側面（本実施形態では、段差部２６（２６ｂ）よりも前側又は後側の左側面）までの距離ａと、雌ハウジング２（２ａ）の右側端部であるロック部２３（２３ａ）から雌ハウジング２（２ｂ）の左側端部（ロック部２３（２３ａ）との当接面）までの距離ｂとが同じ、又は、距離ａが距離ｂよりも長くなるように設定されている。
【００１３】
つまり、レバー収容部２４を構成する雌ハウジング２の左側面は、雌ハウジング２の左側端部が左側に並んだコネクタ１の雌ハウジング２の右側端部と当接すると、その左側のコネクタ１の雌ハウジング２に仮係止されたレバー３の右側端部と当接し、又は、右側端部との間に間隙が設けられるまで、雌ハウジング２の左側端部から右側に後退している。本実施形態では、雌ハウジング２の左側端部が左側に並んだコネクタ１の雌ハウジング２の右側端部と当接すると、その左側のコネクタ１の雌ハウジング２に仮係止されたレバー３の右側端部と段差部２６よりも後側の雌ハウジング２の左側面で当接するまで、レバー収容部２４を構成する雌ハウジング２の左側面が雌ハウジング２の右側に後退している。
【００１４】
レバー受部２５は、レバー収容部２４に収容された左側の雌ハウジング２のレバー３に当接してレバー３を受け、装着部２１側へのレバー３の回動を規制するためのものであり、本実施形態では、レバー収容部２４の右側面、具体的には、レバー収容部２４を構成する雌ハウジング２の段差部２６よりも後側の左側面から構成されている。レバー受部２５は、雌ハウジング２の左側端部が左側に並んだコネクタ１の雌ハウジング２の右側端部と当接すると、その左側のコネクタ１の雌ハウジング２に仮係止されたレバー３の右側端部と当接して、装着部２１側へのレバー３の回動を規制する。つまり、レバー収容部２４を構成する雌ハウジング２の左側面は、雌ハウジング２の左側部が左側に並んだコネクタ１の雌ハウジング２の右側部（ロック部２３）と当接すると、左側のコネクタ１の雌ハウジング２から右方に突出したレバー３の右側端部と当接するまで、雌ハウジング２の一側側に後退している。
【００１５】
次に、上述した構成を有するコネクタ１を梱包する際の配置方法について説明する。図３は、梱包時に並べられた２つのコネクタ１ａ，１ｂの平面図である。図４は、図３に示す２つのコネクタ１ａ，１ｂを示す図であり、（ａ）は正面図，（ｂ）は（ａ）のＢ−Ｂ線断面図である。図５は、左側の雌ハウジング２（２ａ）のロック部２３（２３ａ）と、右側の雌ハウジング２ｂの左側面との当接状態を示す図であり、図４（ｂ）の四角枠Ｃ内を拡大して示している。図６は、左側のレバー３ａの被ロック部３３ａと、右側の雌ハウジング２ｂのレバー受部２５ｂとの当接状態を示す図であり、図４（ｂ）の四角枠Ｄ内を拡大して示している。
【００１６】
図３及び図４に示すように、コネクタ１（１ａ，１ｂ）は、左側の雌ハウジング２ａの右側面と右側の雌ハウジング２ｂの左側面とを向かい合わせた同じ向きで、左右方向に並べて梱包される。コネクタ１ａのレバー３ａは、コネクタ１ｂが備える雌ハウジング２ｂのレバー収容部２４ｂに操作部３２ａの右側端部を収容され、レバー受部２５ｂに操作部３２ａの右側端部を当接させて受けられている。図５に拡大して示すように、雌ハウジング２ａは、右側面のロック部２３ａを雌ハウジング２ｂの左側面に当接させている。また、図６に拡大して示すように、操作部３２ａは、レバー収容部２４ｂが備える段差部２６ｂよりも後側の雌ハウジング２ｂの左側面から構成されるレバー受部２５ｂに、その右側端部を当接させている。
【００１７】
本実施形態のコネクタ１によれば、左右方向に複数並べて配置される場合には、並んだ左側のコネクタ１の雌ハウジング２に仮係止されて雌ハウジング２の右方に突出したレバー３が、右側のコネクタ１の雌ハウジング２のレバー収容部２４に収容され、レバー受部２５により装着部２１側への回動を規制される。このため、レバー３のために左右の雌ハウジング２間に設ける隙間を狭くして、隣り合うコネクタ１同士の配置間隔を短くすることができる。この結果、コネクタ１を左右方向に並べて収納するスペースを削減することができる。また、レバー収容部２４に収容されたレバー３の装着部２１側への回動がレバー受部２５で規制されることから、図７に示すように後方からレバー３に外力が加えられても、レバー３が仮係止を解かれて装着部２１側へ回動するのを防止することもできる。
【００１８】
また、本実施形態のコネクタ１によれば、雌ハウジング２の左側面が左隣に並んだコネクタ１の雌ハウジング２の右側面と当接すると、左隣のコネクタ１の雌ハウジング２に仮係止されたレバー３の右側端部と当接することから、雌ハウジング２の右方へのレバー３の突出量を考慮することなく、コネクタ１を隙間なく並べることができる。この結果、コネクタ１を左右方向に並べて収納するスペースを、より効果的に削減することができる。
【００１９】
上記実施形態では、段差部２６よりも後側の雌ハウジング２の左側面からなるレバー受部２５で、操作部３２の右側端部を受けた場合について説明したが、レバー受部２５で操作部３２の右側端部を受ける構成は任意である。例えば、段差部２６よりも前側の雌ハウジング２の左側面でレバー受部２５を構成しても、また、段差部２６又はレバー収容部２４の下端部からレバー受部２５を構成してもよい。以下、段差部２６からレバー受部２５を構成した本発明の第２の実施形態を、図面を参照して説明する。
【００２０】
本実施形態のコネクタ１（図７〜図１０では１ａ，１ｂ）は、レバー収容部２４及びレバー受部２５を除いて、上記第１実施形態のコネクタ１と同様の構成を有している。以下、本実施形態でのレバー収容部２４及びレバー受部２５の構成について説明する。図８は、本実施形態のコネクタ１（１ａ，１ｂ）を同じ向きで左右に２つ並べた上方からの縦断面図である。図９は、左側のコネクタ１ａの被ロック部３３ａと、右側のコネクタ１ｂのレバー受部２５ｂとの当接状態を示す第１の図であり、図８の四角枠Ｅ内を拡大して示している。図１０は、左側のコネクタ１ａの被ロック部３３ａと、右側のコネクタ１ｂのレバー受部２５ｂとの当接状態を示す第２の図であり、図８の四角枠Ｅ内を拡大して示している。
【００２１】
本実施形態のコネクタ１は、雌ハウジング２の左側端部が左側に並んだコネクタ１の雌ハウジング２の右側端部と当接すると、その左側のコネクタ１の雌ハウジング２に仮係止されたレバー３の右側端部と段差部２６で当接するまで、レバー収容部２４の右側面が雌ハウジング２の右側に後退している。
【００２２】
図８に示すように、２つのコネクタ１（図を用いた以下の説明ではコネクタ１ａ，１ｂ）を同じ向きで左右方向に並べて、左側の雌ハウジング２（２ａ）のロック部２３（２３ａ）を右側の雌ハウジング２（２ｂ）の左側面に当接させると、図８に示すように、左側のコネクタ１（１ａ）のレバー３（３ａ）が、右側の雌ハウジング２（２ｂ）のレバー収容部２４（２４ｂ）に操作部３２（３２ａ）の右側端部を収容される。図９に拡大して示すように、操作部３２（３２ａ）の右側端部は、レバー収容部２４（２４ｂ）の段差部２６（２６ｂ）に当接している。なお、操作部３２（３２ａ）の右側端部は、段差部２６（２６ｂ）の左縁部ではなく、図１０に示すように段差部２６（２６ｂ）の上面に当接させてもよい。
【００２３】
本実施形態のコネクタ１によれば、左右方向に並んだ左側のコネクタ１の雌ハウジング２の右方に突出したレバー３が、右側のコネクタ１の雌ハウジング２のレバー収容部２４に収容され、レバー受部２５により装着部２１側への回動を規制される。また、雌ハウジング２の左側面が左隣の雌ハウジング２の右側面と当接すると、左隣のレバー３の右側端部と当接し、又は、レバー３の右側端部との間に間隙が設けられることから、雌ハウジング２の右方へのレバー３の突出量を考慮することなく、コネクタ１を隙間なく並べることができる。このため、上記第１実施形態と同様の作用効果を得ることができる。
【００２４】
上記各実施形態では、レバー３の被ロック部３３がレバー受部２５に当接した場合について説明したが、レバー受部２５と当接するのは被ロック部３３である必要はない。また、上記各実施形態では、雌ハウジング２がロック部２３を、レバー３が被ロック部３３をそれぞれ備えていたが、これらを備えない構成としてもよい。また、上記実施形態では、レバー収容部２４がレバー受部２５を備えた場合について説明したが、レバー受部２５を備えていなくてもよい。また、レバー受部２５は、必ずしもレバー収容部２４に備えられている必要はない。
【００２５】
上記各実施形態では、雄ハウジングを被着体とした場合について説明したが、レバー３の回動操作で雌ハウジング２の装着部２１に引き込めるのであれば、被着体の種類は任意であり、例えば、導通検査治具等を被着体とすることもできる。
【図面の簡単な説明】
【００２６】
【図１】本発明の第１の実施形態のコネクタの上方からの斜視図である。
【図２】図１に示すコネクタを同じ向きで左右に２つ並べた状態を示す図であり、（ａ）は正面図，（ｂ）は（ａ）のＡ−Ａ線断面図である。
【図３】梱包時に並べられた２つのコネクタの平面図である。
【図４】図３に示す２つのコネクタを示す図であり、（ａ）は正面図，（ｂ）は（ａ）のＢ−Ｂ線断面図である。
【図５】図４に示す左側のハウジングのロック部と、右側のハウジングの左側面との当接状態を示す図である。
【図６】図４に示す左側のレバーの被ロック部と、右側のハウジングのレバー受部との当接状態を示す図である。
【図７】梱包時に並べられた２つのコネクタの平面図である。
【図８】本発明の第２の実施形態のコネクタを同じ向きで左右に２つ並べた上方からの縦断面図である。
【図９】図８に示す左側のレバーの被ロック部と、右側のハウジングのレバー受部との当接状態を示す第１の図である。
【図１０】図８に示す左側のレバーの被ロック部と、右側のハウジングのレバー受部との当接状態を示す第２の図である。
【符号の説明】
【００２７】
１          コネクタ
２          雌ハウジング
２１        装着部
２２        支軸
２３        ロック部
２４        レバー収容部
２５        レバー受部
２６        段差部
３          レバー
３１        側板
３２        操作部
３３        被ロック部
【図１】
2009211993.tif 000003
【図２】
2009211993.tif 000004
【図３】
2009211993.tif 000005
【図４】
2009211993.tif 000006
【図５】
2009211993.tif 000007
【図６】
2009211993.tif 000008
【図７】
2009211993.tif 000009
【図８】
2009211993.tif 000010
【図９】
2009211993.tif 000011
【図１０】
2009211993.tif 000012